(57)【要約】      （修正有）【課題】ユニット浴槽の様なネジ釘等の固定が困難な浴槽でも、簡単に取り付けることができ、しかも使用者の任意の位置で使用する事が出来、さらに不要な時は壁面に、立掛ることのできる手すりを提供する。【解決手段】スチールパイプの外面を合成樹脂で覆って構成したパイプ１の両側にパイプ受け２を設け、このパイプ１に２個のＴ字形継手８を配通し、２本の基軸パイプ９をＵ字に曲げたステンレスジャバラ巻１２で連結し、２本の基軸パイプ９及びステンレスジャバラ巻１２の全長にラバーチューブ１１を被せて、Ｔ字形継手８に、基軸パイプ９を密着結合してなることを特徴とする。【選択図】図１
0003199987.tif 000002
【実用新案登録請求の範囲】
【請求項１】
スチールパイプの上部を、合成樹脂で厚く覆って構成したイレクターパイプ（１）の両側に、パイプ受け（２）を伸縮して対面壁を圧着固定し、このイレクターパイプ（１）に２個の、Ｔ字形継手（８）を配通し、２本の基軸パイプ（９）を巻ベンリカン（１２）をＵ字に曲げて連結し、その全長にラバーチューブ（１１）を被せて、Ｔ字形継手（８）に、基軸パイプ（９）を密着結合してなる手すり
【請求項２】
基軸パイプ（９）の２本をもって構成した手すり
【請求項３】
巻ベンリカン（１２）を、スチール製、またはアルミニウム製管またはアルミ棒、合成樹脂形成品等をもって、Ｕ字型に構成した手すり
【請求項４】
「手すり」スチールパイプの上部に合成樹脂で厚く覆ったイレクターパイプ（１）にＴ字型継手（８）１ケを通し、基軸パイプ（９）１本にした「手すり」
【考案の詳細な説明】
【技術分野】
【０００１】  この発明は足、腰の筋力の低下、または障害者、老人等の入浴時に補助器具として使用する「手すり」に関するものである。
【技術背景】
【０００２】  従来入浴用手すりは、浴室壁面に、ネジ釘により固定したものが主流で、ホテル等のユニットバスには壁面中央部に埋めこみの石けん入と兼用「手すり」または浴槽の縁に、ネジ圧着ばさみ式「手すり」等である。
【考案の開示】
【考案が解決しようとする課題】
【０００３】  これは次のような欠点がある。
イ）筋力の低下した人が、片手「手すり」で、しかも体の左右方向の「手すり」を握って    起き上がろうとすると、湯舟の中では、浮遊力がともない、体の回転力に変化し「手    すり」に向きあう起立体となるのである。
ロ）浴槽の上部縁に、ネジ圧着式のばあいは圧着力が弱かったり、特にユニットバスは、    素材が軟弱なため、安定性がわるいことが多く、その都度、脱着することが必要等の    欠点を有すものである。
本発明は、これらの欠点を除くためになされたものである。
【課題を解決するための手段】
【０００４】  本発明の「手すり」は、使用者の希望する位置に移動することができ、しかも常に体の正面に位置し、一番力のはいる所を握ることができるように発明したものである。その構成は次のとおりである。その構成に使用するパイプは、ホーマック等で販売されている、商品名「イレクターパイプ」のごとく、スチール管表面を合成樹脂で覆って構成されたパイプと同樹脂製Ｔ字継手と、ラバーチューブを主材とした「手すり」である。前述素材による構成を図面によって（イ）（ロ）（１）〜（１６）に分けて説明する。
イ）イレクターパイプ（１）の管口に、合成樹脂製ナット（５）と（１３）合成樹脂フタ    を打ち込んで固定し、このナット（５）にステンレス製、パイプ受け（２）の底辺に    溶接したステンレス、ボルト（４）を結合し、反対側の管口を、合成樹脂フタ（１３    ）で密封してスチール管の錆を防止し、イレクターパイプ（１）にＴ字形継手（８）    ２個を通して、パイプ受け（３）で受ける。
ロ）さらに浴槽巾にパイプを２本切断して「手すり用」、基軸パイプ（９）とし管口にス    テンレスジャバラ巻（商品名巻ベンリカン）（１２）又はアルミ管、アルミ棒をＵ字    形に曲げて差し込み連結して平行した全長に、ラバーチューブ（１１）を被せ、イレ    クターパイプ（１）に通した２個のＴ字パイプ受け（１０）と、基軸パイプ（９）を    結合接着し、Ｔ字形継手（８）間隔を、固定金具（６）で固定する。
本発明は以上のように構成した位置自在形手すりである。
【考案の効果】
【０００５】  本発明は妻が上肢を骨折し、ギブス固定しての、一時退院時の入浴姿を見て、ギブス上肢を乗せるため考案したもので、吾家はマンション住いで、浴室はユニットバスで、ユニットバスの壁はネジ釘を使用することができるが、パイプ受けの着地面を若干広めることによって、タイル張壁面等に圧着させることによって、入浴者の起立等の補助用具程度の固定力は確保できると考え「手すり」の着脱を簡単にできる「手すり」を発明したものである。
本構成の「手すり」を取り付けるときは、壁側浴槽縁上面に、パイプ受け（２）（３）の、サガリ止板（７）が接触するように置き、イレクターパイプ（１）をの字の反対方向に回転すると、パイプ受け（２）が伸びて、パイプ受け（２）（３）の底辺が対面壁を圧着し、シリコン板（１４）が補強して固定する。
この「手すり」を使用するときは、Ｔ字形継手（８）の部分を押えて、希望の位置に移動し、ラバーチューブ（１１）を握って引くと、Ｔ字形継手（８）は、イレクターパイプ（１）を強く圧着摩擦抵抗により粘着し固定して、「手すり」として利用できるのである。
本構成「手すり」は、ユニットバスの壁面には、傷一つ付けることなく取り付けることができ、モルタル壁、板張壁、タイル張等、平面壁であれば取り付けることができるものであり、硝子張り、または起伏の多い場合は、ステンレス板で補足して取り付ける。
本「手すり」を使用しないときは、浴槽側の壁面に立掛けて置くと、健常者の入浴には何等の不都合もなく、幼児の「手すり」とも利用でき、浴槽フタもできる効果を有するのである。
【考案を実施するための最良の形態】
【０００６】  以下、本案の実施の形態について説明する。
イ）イレクターパイプ（１）を受ける、パイプ受け（２）と（３）をもうけ、パイプ受け    （２）の底辺に溶接した、ボルト（４）を、イレクターパイプ（１）の管口に充てん    した、合成樹脂ナット（５）と結合する。
ロ）パイプ（１）の前述の反対管口を、合成樹脂フタ（１３）で密封し、Ｔ字形継手（８    ）を２個、パイプに通し、パイプ受け（３）を装着する。
ハ）基軸パイプ（９）の２本管口に巻ベンリカン（１２）をＵ字形に曲げて差し込み基軸    パイプ（９）を平行させ、その全長にラバーチューブ（１１）を被せてイレクターパ    イプ（１）に通した２個のＴ字パイプ受け（１０）にさして結合接着し、Ｔ字形継手    （８）が、イレクターパイプ（１）上をかるくすべって移動するよう、固定金具（６    ）で固定する。
ニ）本案を使用するときは、イレクターパイプ（１）を受ける、パイプ受け（２）（３）    の、サガリ止め（７）を壁側浴槽縁上に置き、イレクターパイプ（１）をの字の反対    方向に回すと、パイプ受け（２）が伸びて、対面壁に、パイプ受け（２）（３）の底    辺が圧着して固定する。次に「手すり」位置を決めて、ラバーチューブ（１１）を握    って引くと、Ｔ字継手（８）は、イレクターパイプ（１）上を強く圧迫して発生する    摩擦抵抗力により粘着して固定するので、「手すり」の目的を達し得るのである。
ホ）巻ベンリカン（１２）にかえて、アルミニウム管、または丸棒、メッキスチール管か    Ｕ字型形成樹脂等を利用しても同様の成果を得るものである。
【図面の簡単な説明】
【０００７】
【図１】  本発明の斜視図である。
【図２】  パイプ受け（２）の側断面図である。
【図３】  パイプ受け（３）の側断面図である。
【図４】  手すり構成先端部の断面図である。
【符号の説明】
【０００８】  （１）      イレクターパイプ      （８）      Ｔ字形継手
（２）      パイプ受け（図右）    （９）      基軸パイプ
（３）      パイプ受け（図左）    （１０）    Ｔ字パイプ受け
（４）      ボルト                （１１）    ラバーチューブ
（５）      ナット                （１２）    巻ベンリカン
（６）      固定金具              （１３）    合成樹脂フタ
（７）      サガリ止板            （１４）    シリコン板
【図１】
0003199987.tif 000003
【図２】
0003199987.tif 000004
【図３】
0003199987.tif 000005
【図４】
0003199987.tif 000006
【手続補正書】
【提出日】平成27年7月9日(2015.7.9)
【手続補正１】
【補正対象書類名】実用新案登録請求の範囲
【補正対象項目名】全文
【補正方法】変更
【補正の内容】
【実用新案登録請求の範囲】
【請求項１】
スチールパイプの外面を合成樹脂で覆って構成したパイプ（１）の両側にパイプ受け（２）を設け、このパイプ（１）に２個のＴ字形継手（８）を配通し、２本の基軸パイプ（９）をＵ字に曲げたステンレスジャバラ巻（１２）で連結し、２本の基軸パイプ（９）及びステンレスジャバラ巻（１２）の全長にラバーチューブ（１１）を被せて、Ｔ字形継手（８）に、基軸パイプ（９）を密着結合してなる手すり。
【請求項２】
請求項１に記載の手すりにおいて、ステンレスジャバラ巻（１２）を、スチール製もしくはアルミニウム製管またはアルミ棒または合成樹脂形成品をＵ字型に構成したもので置き換えてなる手すり。
【請求項３】
スチールパイプの外面を合成樹脂で覆ったパイプ（１）にＴ字形継手（８）１ケを通し、Ｔ字形継手（８）に基軸パイプ（９）１本を結合してなる手すり。